(57)【要約】【課題】猫の排泄物から発生する悪臭を効果的に防止することができる薬剤担持体を提供する。【解決手段】猫用の粒状の排泄物処理材１２とともに用いられる薬剤担持体１であって、薬剤担持体１は、重量が１９．５ｇ以上８０．０ｇ以下である固形物からなり、全体形状が円柱状であり、直径が２０ｍｍ以上５５ｍｍ以下である。【選択図】図１
2017221127.tif 000002
【特許請求の範囲】
【請求項１】
猫用の粒状の排泄物処理材とともに用いられる薬剤担持体であって、
重量が１９．５ｇ以上１２０ｇ以下である固形物からなる薬剤担持体。
【請求項２】
重量が８０．０ｇ以下であることを特徴とする請求項１に記載の薬剤担持体。
【請求項３】
全体形状が円柱状であることを特徴とする請求項１又は２に記載の薬剤担持体。
【請求項４】
直径が２０ｍｍ以上５５ｍｍ以下であることを特徴とする請求項３に記載の薬剤担持体。
【請求項５】
消臭成分及び/又は抗菌成分及び/又は芳香成分及び/又は害虫防除成分を有することを特徴とする請求項１〜４のいずれかに記載の薬剤担持体。
【発明の詳細な説明】
【技術分野】
【０００１】
本発明は、室内で飼われる猫の排泄物の消臭などに有効な薬剤担持体に関する。
【背景技術】
【０００２】
近年、ペットとして猫を室内で飼育する家庭が年々増加している。猫を室内で飼育すると、猫の排泄行動も当然ながら室内にて行われるため、猫用トイレが一般的に使用されている。猫用トイレとしては、従来から、樹脂製の容器に吸水性を有する粒状の排泄物処理材（いわゆる「猫砂」）を敷き詰めたものが知られており、この排泄物処理材により、猫の排泄物の処理・廃棄を簡便なものにしている。また、猫の排泄物の飛散や排泄物から発生する悪臭の拡散を防止するとともに、猫の排泄行動時の習性である自身の排泄物を砂に埋めて隠すという行為も満足させている。
【０００３】
この種の排泄物処理材としては、ベントナイトなどを使用した排泄物を吸水する際に固まるものや、吸水性に優れた紙・木粉・おからなどの植物繊維あるいはシリカゲルなどの多孔質粒子を使用した排泄物を単に吸着するものなどが用いられている。また、アクリル酸系デンプンポリマー、アクリル酸アミド系ポリマーなどの高分子吸収ポリマーや、デンプン、デキストリン、セルロース、ポリビニルアルコールなどのセルロース系接着剤を配合して、猫の排泄物の水分を吸水して固めることで、飼主が排泄物を廃棄する際の利便性や手間を削減することを考慮したものなどが用いられている。しかし、これらの排泄物処理材は、排泄物の水分を吸水して飛散を防ぐ目的にはある程度の効果を発揮するものの、猫の排泄物から発生する悪臭の拡散を防止するには不十分である。
【０００４】
そこで、排泄物の悪臭の拡散防止・軽減を目的として、活性炭やゼオライトなどの悪臭を物理的に吸着する粒状の吸着剤を混合した排泄物処理材が提案されているが（例えば特許文献１及び特許文献２を参照）、悪臭の吸着速度、吸着容量に限界があり、即効性及び持続性ともに不十分である。また、粉状の消臭剤を使用した場合では、消臭剤の粒径が細かいほど、排泄物との接触面が多く悪臭の防止に有効であるが、粒径が細かくなると粉の舞い上がりが多く、使用時に不快感を生じる。また、粒径の異なる排泄物処理材中に均一に混合することは製造上困難であり、別途、飼主が排泄物処理材の表面に散布を行っても、猫の排泄行為時の習性により、消臭剤が排泄物処理材の内部に埋もれてしまって消臭効果が発揮されないという問題がある。さらに、液体の消臭剤を別途、排泄物処理材に散布した場合では、排泄物処理材が吸水性を有すると、消臭剤が排泄物処理材の表面に排出された排泄物とともに排泄物処理材の内部に染み込んで、消臭効果が低減してしまう。また、吸水性を有する排泄物処理材の表面に排出された排泄物が排泄物処理材の内部まで染み込んで腐敗することで、逆に悪臭が発生してしまう。このように猫の排泄物から発生する悪臭を防止するための有効な手段はあまり知られていないのが現状である。
【先行技術文献】
【特許文献】
【０００５】
【特許文献１】特開平７−３２２７８６号公報
【特許文献２】特開２０００−２３６７６６号公報
【発明の概要】
【発明が解決しようとする課題】
【０００６】
本発明は、上記した課題に着目してなされたもので、猫の排泄物から発生する悪臭を効果的に防止することができる薬剤担持体を提供することを目的とする。
【課題を解決するための手段】
【０００７】
本発明の上記目的は、猫用の粒状の排泄物処理材とともに用いられる薬剤担持体であって、重量が１９．５ｇ以上１２０ｇ以下である固形物からなる薬剤担持体により達成される。
【０００８】
上記構成の薬剤担持体の好ましい実施態様においては、重量が８０．０ｇ以下であることを特徴としている。
【０００９】
さらに好ましい実施態様においては、全体形状が円柱状であることを特徴としている。
【００１０】
さらに好ましい実施態様においては、直径が２０ｍｍ以上５５ｍｍ以下であることを特徴としている。
【００１１】
さらに好ましい実施態様においては、消臭成分及び/又は抗菌成分及び/又は芳香成分及び/又は害虫防除成分を有することを特徴としている。
【発明の効果】
【００１２】
本発明の薬剤担持体は、容器内に収容された猫用の粒状の排泄物処理材の上に設置され、排泄物処理材上に露出することで、薬剤効果が発揮される。ここで、猫は、一連の排泄行動において、排泄行為後に、自身の排泄物を排泄物処理材に隠す習性を有しており、排泄物処理材を自身の排泄物上にかけることで排泄物を排泄物処理材に埋没させるが、このとき、薬剤担持体を単なる固形物とするだけでは、薬剤担持体が排泄物とともに排泄物処理材中に埋没してしまうおそれがあり、期待する薬剤効果を発揮できない。そのため、薬剤担持体は、猫の排泄行為後の排泄物を排泄物処理材中に隠すという行為の影響を受けても、排泄物処理材の表面に高頻度で露出することが必要であるところ、本発明者らの鋭意研究の結果、薬剤担持体の重量を１９．５ｇ以上とすることにより、猫の排泄行為後の上記習性による行為の影響を受けずに薬剤担持体を排泄物処理材の表面に高い頻度で露出させることが可能であることが見出され、これにより、薬剤担持体の薬剤効果を効率よく発揮させることができる。よって、本発明の薬剤担持体では、猫の排泄物から発生する悪臭を効果的に防止することができる。
【００１３】
さらに、本発明者らの鋭意研究の結果、薬剤担持体の重量を８０．０ｇ以下とすることにより、猫の排泄行為後の上記習性による行為に伴い、薬剤担持体が容器内を移動する頻度が高くなることが見出された。薬剤担持体が容器内を移動する頻度が高くなると、薬剤担持体が猫の尿などの液状の排泄物と接触しやすい状態を常時形成することができる。よって、本発明の薬剤担持体では、薬剤担持体の薬剤成分が発散しやすくなり、期待する薬剤効果を効率よく十分に発揮させることができる。
【図面の簡単な説明】
【００１４】
【図１】本発明の一実施形態に係る薬剤担持体を用いた猫用トイレの斜視図である。
【図２】薬剤担持体の平面図である。
【図３】薬剤担持体の側面図である。
【図４】薬剤担持体の排泄物処理材に対する設置位置を示す説明図である。
【図５】薬剤担持体の排泄物処理材に対する設置位置を示す説明図である。
【図６】薬剤担持体の排泄物処理材に対する設置位置を示す説明図である。
【図７】薬剤担持体の重量と露出回数との関係を示すグラフである。
【図８】薬剤担持体の重量と移動回数との関係を示すグラフである。
【図９】薬剤担持体の重量減少量と移動回数との関係を示すグラフである。
【発明を実施するための形態】
【００１５】
以下、本発明に係る薬剤担持体の実施形態について図面を参照しつつ説明する。本実施形態の薬剤担持体１は、図１に示すように、猫の排泄物の消臭や芳香、抗菌、害虫防除などのために、樹脂製の容器１１に吸水性を有する粒状の排泄物処理材１２（いわゆる「猫砂」）を敷き詰めた猫用トイレ１０とともに用いられる。
【００１６】
薬剤担持体１は、図１に示すように、粒状（一般的に粒度が１ｍｍ〜８ｍｍ）の排泄物処理材１２よりもサイズが大幅に大きい固形物からなる。薬剤担持体１は、空気中の水分や猫の尿などの液状排泄物と接触することで、配合された薬剤成分が発散する材料で形成されている。このような材料としては公知の材料を用いることができ、例えば、炭酸塩と酸とを配合した材料を用いることができ、空気中の水分と接触すると炭酸ガスを発生し、これにより発泡することで、薬剤担持体１に配合された薬剤成分が発散する。
【００１７】
炭酸塩としては、炭酸水素ナトリウム、炭酸ナトリウム、重炭酸ナトリウムなどを例示することができ、これらを単独もしくは２種以上を組み合わせて用いることができる。また、酸としては、酒石酸、クエン酸、リンゴ酸、フマル酸、コハク酸などの有機酸を例示することができ、これらを１種もしくは２種以上を組み合わせて用いることができる。
【００１８】
薬剤担持体１に配合される薬剤成分として、例えば、消臭効果を期待する場合には、猫の尿の悪臭成分であるアンモニアやアミンなどの窒素系化合物；硫化水素やメルカプタン、チオカルボニル化合物などの硫黄系化合物に効果がある、例えば、シクロデキストリン、植物抽出物（緑茶・柿渋・大豆・その他）、ベタイン化合物、二酸化チタン、対象とする悪臭成分と反応する官能基を有する香料などの消臭物質を配合することができる。
【００１９】
薬剤成分として、芳香効果を期待する場合には、シトラス系、フローラル系、フルーティ系、オリエンタル系、石鹸系、グリーン系などの香料を配合することができる。
【００２０】
薬剤成分として、抗菌効果を期待する場合には、第４級アンモニウム塩系、無機塩系、金属塩系、カルボン酸系、フェノール系、タンパク質などの抗菌物質を配合することができる。これらの抗菌物質により、微生物の増殖抑制による防臭効果も期待できる。
【００２１】
薬剤成分として、外部寄生虫への防除効果を期待する場合には、ピレスロイド系殺虫剤、ネオニコチノイド系殺虫剤、Ｎ−フェニルピラゾール系殺虫剤、オキサジアゾール系殺虫剤、有機リン系殺虫剤、カーバメート系殺虫剤などの公知の殺虫成分；幼若ホルモン様物質、エクダイソン様物質、キチン形成阻害物質などの公知の外部寄生虫成長調節物質；従来から公知の動物性または植物性の天然香料、炭化水素、アルコール、天然精油、他の忌避化合物から選ばれる１種もしくは２種以上を組み合わせて配合することができる。なお、ここでいう外部寄生虫とは、例えば、イヌノミ、ネコノミなどのノミ目の外部寄生虫；ヒゼンダニ、ケモノツメダニ、フタトゲチマダニなどのダニ目の外部寄生虫；ウシジラミ、ヒツジジラミなどのシラミ目の外部寄生虫；アカイエカ、ヒトスジシマカ、クロイエバエ、ノサシバエ、ツメトゲブユ、ウシアブなどの双翅目の外部寄生虫を例示することができるが、これらに限定されるものではない。
【００２２】
上述した薬剤成分は、１種もしくは２種以上を組み合わせて配合することができる。また、薬剤担持体１には、上記薬剤成分以外の成分を配合することもでき、硫酸ナトリウム、硫酸マグネシウム、硫酸亜鉛などの硫酸塩あるいは塩化ナトリウムなどの塩酸塩；染料や顔料などの色素；ケイ酸カルシウム、タルク、無水ケイ酸、セルロースなどの賦形剤；ポリエチレングリコール、ポリビニルピロリドン、デキストリン、セルロースなどの結合剤；ステアリン酸マグネシウム、ステアリン酸カルシウムなどの滑沢剤を使用してもよい。
【００２３】
薬剤担持体１の配合量としては、炭酸塩５０〜９０重量部、酸１０〜４０重量部、色素０．００１〜０．０５重量部、賦形剤１〜５重量部、結合剤０．０１〜１０重量部、滑沢剤０．０１〜１０重量部に対し、消臭物質であれば、０．０１〜１０重量部、抗菌物質であれば、０．０１〜１重量部、防虫剤であれば、０．０１〜１０重量部、香料であれば、０．１〜２重量部が好ましい。
【００２４】
薬剤担持体１の全体形状（外形）は、円柱状、角柱状、円錐状、角錐状、円錐台状、角錐台状、円球状、楕円球状など種々の形状とすることができるが、本実施形態では偏平な円柱状である。猫は、その一連の排泄行動において、排泄行為後に、自身の排泄物を排泄物処理材１２に隠す習性を有しており、排泄物処理材１２を掻いて自身の排泄物上にかけることで排泄物を排泄物処理材１２に埋没させる。このとき、排泄物処理材１２の表面に設置された薬剤担持体１が猫の排泄行為後の排泄物処理材１２を掻く行為に影響を受けて、容器１１内を移動するが、薬剤担持体１の外形が円柱状や円球状などの角のない丸みを帯びた形状であると、薬剤担持体１が容器１１の四隅に移動しても、四隅に嵌まらず四隅から抜け出しやすいので、薬剤担持体１を猫の排泄行動の度に移動させやすくすることができるので、好ましい。
【００２５】
薬剤担持体１のサイズは、一般的な排泄物処理材１２よりも大幅に大きければ特に限定されるものではないが、サイズが大きすぎると猫の排泄行動時の邪魔になるため、外形が円柱状や円球状であれば、図２に示すように、平面視で直径Ｒが５５ｍｍ以下であることが好ましい。なお、外形がその他の形状であれば、平面視で直径が５５ｍｍ以下の仮想円に内接する程度の大きさであることが好ましい。なお、薬剤担持体１のサイズの下限は、同様にして平面視で直径Ｒが２０ｍｍ以上であることが好ましく、２５ｍｍ以上であることがより好ましい。
【００２６】
また、図３に示すように、薬剤担持体１の厚みＤは、特に限定されるものではないが、厚みが大きすぎると猫の排泄行動時の邪魔になるうえ、一般的な猫用トイレ１０の容器１１に排泄物処理材１２を敷き詰める高さが６０ｍｍ程度であるため、上限が６０ｍｍ以下であることが好ましく、３５ｍｍ以下であることがより好ましい。薬剤担持体１の厚みの下限は、５ｍｍ以上であることが好ましい。
【００２７】
上述した本発明に係る薬剤担持体１は、重量が１９．５ｇ以上かつ１２０ｇ以下であり、さらに８０．０ｇ以下であることが好ましい。本発明者が、猫の排泄物から発生する悪臭を効果的に防止することができる薬剤担持体とはどのような性質を備えた薬剤担持体であるのかについて鋭意研究を重ねた結果、その重量が大きく関連していることを見出した。そして、まず、薬剤担持体１を排泄物処理材１２上に設置した状態で猫が排泄行動を繰り返し行ったとしても、薬剤担持体１が排泄物処理材１２の表面に高い頻度で露出するためには、重量を１９．５ｇ以上とする必要があることを見出した。
【００２８】
つまり、猫は、一連の排泄行動において、排泄行為後に自身の排泄物を排泄物処理材１２に隠す習性を有しており、排泄物処理材１２を自身の排泄物上にかけることで排泄物を排泄物処理材１２に埋没させる習性を有している。このとき、薬剤担持体１を単なる固形物としただけでは、薬剤担持体１が排泄物とともに排泄物処理材１２中に埋没してしまい、期待する薬剤効果を発揮できないことが、詳細は後述するが、本発明者により確認されている。
【００２９】
そのため、本発明に係る薬剤担持体１は、猫の排泄行為後の排泄物を排泄物処理材１２中に隠すという行為の影響を受けても、排泄物処理材１２の表面に高頻度で露出するように、薬剤担持体１の重量を１９．５ｇ以上とすることを特徴としており、これにより、薬剤担持体１に含まれる薬剤成分が空気中に発散されやすい状態や、薬剤担持体１が尿などの液状排泄物と接触しやすい状態を形成することができるので、薬剤担持体１の薬剤効果を効率よく発揮させることができる。
【００３０】
さらに、薬剤担持体１の重量を８０．０ｇ以下とすることで、猫の排泄行為後に排泄物を排泄物処理材１２中に隠すために排泄物処理材１２を掻くという行為に伴い、薬剤担持体１が容器１１内を移動する頻度が高くなることが、詳細は後述するが、本発明者により確認されている。薬剤担持体１の容器１１内を移動する頻度が高くなって猫の排泄行為が終わる度に薬剤担持体１が容器１１内をその場に留まることなく移動すると、次回の猫の排泄行為時において、薬剤担持体１が尿などの液状排泄物と接触しやすい状態を形成することができる。
【００３１】
このように、本発明に係る薬剤担持体１は、猫の排泄行為後の排泄物を排泄物処理材１２中に隠すという行為に伴って薬剤担持体１が容器１１内を移動しやすくなるように、薬剤担持体１の重量を８０．０ｇ以下とすることを特徴としており、これにより、薬剤担持体１の薬剤成分が発散しやすくなって、期待する薬剤効果をさらに効率よく充分に発揮させることができる。
【００３２】
以上、本発明の実施形態について説明したが、本発明は上記実施形態に限定されるものではなく、本発明の趣旨を逸脱しない限りにおいて種々の変更が可能である。
【実施例１】
【００３３】
以下、本発明の実施例について説明する。なお、本発明は、以下の実施例に限定されるものではない。
【００３４】
・芳香力の官能評価
所定サイズ（５０ｃｍ×４０ｃｍ×１０ｃｍ）の容器１１に排泄物処理材１２が高さ６ｃｍとなるように敷設した猫用トイレ１０に、芳香成分を有する薬剤担持体１をそれぞれ、排泄物処理材１２上の露出位置（図４に示す）、排泄物処理材１２の表面より０．５ｃｍ下方の表層位置（図５に示す）、排泄物処理材１２の表面より２．０ｃｍ下方の中間位置（図６に示す）に設置した後、猫用トイレ１０を４．５畳の部屋（密閉空間、室温２０℃）の中央に設置した。猫用トイレ１０を室内に１時間放置後、３人のパネラーにそれぞれ入室してもらって、薬剤担持体１から発散される芳香成分の官能評価を行った。官能評価は、無臭を「０点」、僅かにニオイを感じるを「１点」、何のニオイか分かる程度を「２点」、楽にニオイを感じるを「３点」、強いニオイを感じるを「４点」、強烈なニオイを感じるを「５点」として評価した。その評価結果を表１に示す。なお、排泄物処理材１２の素材は一般的に用いられる紙及びベントナイトを用いており、それぞれの物性は表１に示す。また、薬剤担持体１の組成を表２に示す。
【００３５】
【表１】
2017221127.tif 000003
【００３６】
【表２】
2017221127.tif 000004
【００３７】
長期間（例えば３０日）の使用後でも充分に空間に芳香を付与させるためには、入室直後の官能評価として「２点」以上を必要とすることが望ましいところ、表１の官能評価によると、薬剤担持体１が排泄物処理材１２中に深く埋没していると（図６）、排泄物処理材１２として臭いの吸着性が高いベントナイトを用いた場合に、全く芳香を感じさせることができず、薬剤担持体１が排泄物処理材１２の表面近くで埋没していても（図５）、官能評価が平均２点を下回るのに対して、薬剤担持体１が排泄物処理材１２の表面で露出していると（図４）、排泄物処理材１２として臭いの吸着性が高いベントナイトを用いたとしても、充分な芳香を感じさせることができることが確認された。このように、薬剤担持体１は排泄物処理材１２上に露出している方が、断然に薬剤効果を発揮することが確認された。
【００３８】
・薬剤担持体の重量と露出回数との関係
表２の組成の円柱状の薬剤担持体１について、それぞれ表３に示す重量・直径・厚みを有する複数の薬剤担持体１を作製し、猫の排泄行為が行われる度に薬剤担持体１が排泄物処理材１２の表面に露出しているかどうかを調査した。調査としては、（５０ｃｍ×４０ｃｍ×１０ｃｍ）の容器１１に排泄物処理材１２が高さ６ｃｍとなるように敷設した猫用トイレ１０に、表３に示す大きさの各薬剤担持体１をそれぞれ排泄物処理材１２上の露出位置（図４に示す）に設置する。そして、猫が日常的に猫用トイレ１０を使用した時の薬剤担持体１の排泄物処理材１２からの露出状況を１２時間毎に８回確認した。露出回数は、薬剤担持体１の５０％以上視認できれば１回としてカウントし、２５％以上４９％以下視認できれば０．５回としてカウントしている。また、露出回数は、排泄物処理材１２として表１に示す紙を用いた場合の露出回数及びベントナイトを用いた場合の露出回数の合計（１６回）とした。その結果を図７に示す。
【００３９】
【表３】
2017221127.tif 000005
【００４０】
図７の結果によると、薬剤担持体１の露出回数は、薬剤担持体１の直径よりも重量の方が大きく影響しており、薬剤担持体１の重量を１９．５ｇ以上とすることで、薬剤担持体１の露出状況を確認した１６回のうち６０％以上の高い頻度で排泄物処理材１２の表面から露出していることが確認された。また、薬剤担持体１の重量を、それぞれ２２．１ｇ以上、３０．０ｇ以上、４９．９ｇ以上とすることで、７０％以上、８０％以上、９０％以上の非常に高い頻度で排泄物処理材１２の表面から露出していることが確認された。以上の結果から、重量を１９．５ｇ以上、好ましくは２２．１ｇ以上、より好ましくは３０．０ｇ以上、さらに好ましくは４９．９ｇ以上とすることで、本発明に係る薬剤担持体１は、排泄物処理材１２の表面に高頻度で露出することが確認された。よって、薬剤担持体１に含まれる薬剤成分が空気中に発散されやすい状態や、薬剤担持体１が尿などの液状排泄物と接触しやすい状態を形成することができるので、薬剤担持体１の薬剤効果を効率よく発揮させることを実現できた。
【００４１】
・薬剤担持体の重量と移動回数との関係
表２の組成を有しかつ表３に示す重量・直径・厚みを有する複数の円柱状の薬剤担持体１が、猫の排泄行為が行われる度に排泄物処理材１２上を移動しているかどうかを調査した。調査としては、（５０ｃｍ×４０ｃｍ×１０ｃｍ）の容器１１に排泄物処理材１２が高さ６ｃｍとなるように敷設した猫用トイレ１０に、表３に示す大きさの各薬剤担持体１をそれぞれ排泄物処理材１２上の露出位置（図４に示す）に設置する。そして、猫が日常的に猫用トイレ１０を使用した時の薬剤担持体１の移動状況を１２時間毎に８回確認した。移動回数は、１０ｃｍ以上移動していれば１回としてカウントし、５ｃｍ以上移動していれば０．５回としてカウントしている。また、移動回数は、排泄物処理材１２として表１に示す紙を用いた場合の移動回数及びベントナイトを用いた場合の移動回数の合計（１６回）とした。その結果を図８に示す。
【００４２】
図８の結果によると、薬剤担持体１の移動回数は、薬剤担持体１の直径よりも重量の方が大きく影響しており、薬剤担持体１の重量を８０．０ｇ以下とすることで、薬剤担持体１の移動状況を確認した１６回のうち６０％以上の高い頻度で排泄物処理材１２上を移動していることが確認された。また、薬剤担持体１の重量を、７５．０ｇ以下とすることで、７０％以上の非常に高い頻度で排泄物処理材１２の表面を移動していることが確認された。
【００４３】
加えて、２回以上移動した薬剤担持体１のいくつかについて、薬剤担持体１の重量減少量を測定し、その測定結果を移動回数毎にプロットした結果を図９に示す。図９の結果によると、概ね薬剤担持体１の移動回数が多いと、薬剤担持体１の重量が大きく減少しており、猫の排泄行為時において薬剤担持体１を尿などの液状排泄物と接触しやすい状態にできることが確認された。このように、薬剤担持体１は排泄物処理材１２上を移動する方が、断然に薬剤効果を発揮することが確認された。
【００４４】
以上の結果から、重量を８０．０ｇ以下、好ましくは７５．０ｇ以下とすることで、本発明に係る薬剤担持体１は、排泄物処理材１２の表面を高頻度で移動し、その結果、猫の排泄行為時において、薬剤担持体１が尿などの液状排泄物と接触しやすい状態を形成することができるので、薬剤担持体１の薬剤効果をさらに効率よく発揮させることが実現できた。
【符号の説明】
【００４５】
１    薬剤担持体
１０  猫用トイレ
１１  容器
１２  排泄物処理材
【図１】
2017221127.tif 000006
【図２】
2017221127.tif 000007
【図３】
2017221127.tif 000008
【図４】
2017221127.tif 000009
【図５】
2017221127.tif 000010
【図６】
2017221127.tif 000011
【図７】
2017221127.tif 000012
【図８】
2017221127.tif 000013
【図９】
2017221127.tif 000014